(57)【要約】【課題】  簡単な構造で確実に分離した状態で複数の材料を収容し、簡単な操作で各材料を混合することが可能であり、材料を混合した後も破片等が発生せず、外観等も良好な２剤混合容器を提供する。【解決手段】  液体等を収容する容器本体１２と、容器本体１２の内容物に混合するための別剤を入れる収容室２０と、容器本体１２と収容室２０を隔離する隔離部材３６を有する。収容室２０と隔離部材であるフィルム部材３６は、容器本体１２のキャップ１８に備える。キャップ１８には、収容室２０のフィルム部材３６と反対側の開口部付近に設けられた押圧部３０と、押圧部３０と収容室２０の間に設けられ押圧部３０を収容室２０に対して容器本体１２側へ移動可能とする可撓部３２と、押圧部３０に設けられフィルム部材３６近傍に延出する押出し部３４を備える。【選択図】図１
2006089084.tif 000002
【特許請求の範囲】
【請求項１】
所定の材料を収容する容器本体と、前記容器本体の内容物に混合するための別剤を入れる収容室と、前記容器本体と前記収容室を隔離する隔離部材が設けられ、前記隔離部材を開口することで２剤を混合することが可能な２剤混合容器において、前記収容室と前記隔離部材は前記容器本体の注ぎ口に嵌められるキャップに設けられ、前記キャップには、前記キャップの天面部に設けられた筒状の前記収容室と、前記収容室の前記容器本体に連通する開口部付近を閉鎖する隔離部材と、前記収容室の前記隔離部材と反対側の開口部付近に設けられた押圧部と、前記押圧部と前記収容室の間に設けられ前記押圧部を前記収容室に対して前記容器本体側へ移動可能とする可撓部と、前記押圧部に設けられ前記隔離部材近傍に延出する押出し部が設けられ、前記押圧部を前記容器本体側に移動させることにより前記押出し部が前記剥離部材を押して開口させ２剤を混合可能としたことを特徴とする２剤混合容器。
【請求項２】
前記隔離部材は前記収容室の前記開口部に取り付けられたフィルム部材であり、前記フィルム部材の取付強度は、前記押出し部の押圧によって外れる強度であることを特徴とする請求項１記載の２液混合容器。
【請求項３】
前記押出し部は、前記収容室内に挿通される棒状部であり、前記押出し部の前記押圧部側の端部は前記押圧部の中央に連続し、前記押出し部の前記フィルム部材側の端部は前記フィルム部材の周縁部近傍に達し、前記押出し部の長手方向は前記収容室の挿通方向に対して傾斜していることを特徴とする請求項１及び２記載の２液混合容器。
【請求項４】
前記押圧部と前記可撓部は、前記キャップの前記天面部よりも前記収容室中心側に設けられ、前記天面部には蓋部材がシールされ、前記蓋部材は前記収容室と前記押圧部、前記可撓部を覆っていることを特徴とする請求項１記載の２液混合容器。
【請求項５】
所定の材料を収容する容器本体と、前記容器本体の内容物に混合するための別剤を入れる収容室と、前記容器本体と前記収容室を隔離する隔離部材が設けられ、前記隔離部材を開口することで２剤を混合することが可能な２剤混合容器において、前記容器本体の一端部に嵌合されて設けられた筒状の前記収容室と、前記収容室の前記容器本体に連通する開口部付近を閉鎖し他の部材と別体に設けられた弁部材と、前記収容室の前記弁部材と反対側の開口部付近に設けられ前記弁部材を前記容器本体側に移動させる移動部材と、前記移動部材に設けられた突起と、前記突起が螺合するねじが設けられている操作部材が設けられ、前記操作部材を前記ねじに沿って回転させることにより前記移動部材を前記容器本体側に移動させて前記弁部材を開口し２剤を混合可能としたことを特徴とする２液混合容器。
【請求項６】
前記収容室は前記容器本体の下端部に設けられ、前記容器本体の上端部には、スプレー構造と、前記スプレー構造に連結され前記容器本体の底部から内容物を吸い上げるために下垂されたディップチューブが設けられ、前記弁部材の、前記容器本体内側に対面する遮蔽板は上方に湾曲して形成され、前記遮蔽板の周縁部の前記収容室との境界は前記遮蔽板のその他の部分よりも低く、前記ディップチューブの下端部が、前記弁部材の遮蔽板の縁部分に位置し、前記弁部材が上方に移動し開口したときに前記弁部材よりも下側の前記収容室内に自動的に差し込まれることを特徴とする請求項５記載の２液混合容器。
【発明の詳細な説明】
【技術分野】
【０００１】
この発明は、医薬品などの薬液や化粧液、その他食品等の液体と、他の材料を互いに分離した状態で収容し、使用直前に混合して取り出すことが可能な２剤混合容器に関する。
【背景技術】
【０００２】
従来、例えば２液を混合するヘアカラーや、飲料用の水に粉末茶を混ぜて飲む飲料等は、二つの材料を分離した状態で収容し使用直前に混合することが可能な２剤混合容器に入れられている。このような２剤混合容器は数多くの提案がなされ、また実用化もされている。特許文献１に開示されている飲料用混合容器は、本体容器に入れられた液体（飲料用）と、密封容器に入れられた粉体（粉末茶）が互いに分離された状態で収容され、飲用時にキャップに形成された突起を差し込んで密封容器を破損させ、粉体を液体中に落下させて混合するものである。また、特許文献２に開示されている二液分離混合容器は、第一容器と第二容器に２種類の液体が互いに分離された状態で収容され、使用時に第二容器の底部を破損させて第二容器内の液体を第一容器内の液体に流し、２種類の液体を混合するものである。
【特許文献１】特開２００３−８１３５７号公報
【特許文献２】実開昭６１−１２３０６０号公報
【発明の開示】
【発明が解決しようとする課題】
【０００３】
上記従来の技術の場合、いずれも構造が複雑でコストがかかるものであった。また、複数の材料を混合する操作は密封容器や第二容器をそれぞれ破損させるため、ある程度の力が必要であり操作も面倒である。材料を混合した後は、破損した密封容器や第二容器の破片が残り、外観がよくないという問題もがある。
【０００４】
この発明は、上記従来の技術の問題点に鑑みてなされたものであり、簡単な構造で確実に分離した状態で複数の材料を収容し、簡単な操作で各材料を混合することが可能であり、材料を混合した後も破片等が発生せず、外観等も良好な２剤混合容器を提供することを目的とする。
【課題を解決するための手段】
【０００５】
本発明は、液体等を収容する容器本体と、前記容器本体の内容物に混合するための別剤を入れる収容室と、前記容器本体と前記収容室を隔離する隔離部材が設けられ、前記隔離部材を開口することで２剤を混合することが可能な２剤混合容器であり、前記収容室と前記隔離部材は前記容器本体の注ぎ口に嵌められるキャップに設けられている。前記キャップには、前記キャップの天面部に設けられた筒状の前記収容室と、前記収容室の前記容器本体に連通する開口部付近を閉鎖する隔離部材と、前記収容室の前記隔離部材と反対側の開口部付近に設けられた押圧部と、前記押圧部と前記収容室の間に設けられ前記押圧部を前記収容室に対して前記容器本体側へ移動可能とする可撓部と、前記押圧部に設けられ前記隔離部材近傍に延出する押出し部が設けられている。そして、前記押圧部を前記容器本体側に移動させることにより、前記押出し部が前記剥離部材を押して開口させ２剤を混合する２剤混合容器である。
【０００６】
前記押圧部と前記可撓部は前記収容室に一体に形成され、前記押圧部は前記収容室の挿通方向に対して交差する板体であり、前記可撓部は前記押圧部の周縁部を一周し前記収容部内周面に連結する薄肉部である。前記可撓部は、前記押圧部から離れるに従い前記容器本体側へ延出する断面台形状の円筒形に形成されている。前記可撓部は前記容器本体と反対側へ向かって凸形に形成されているが、前記押圧部に前記容器本体側へ力が加えられると台形が反転して凹型、つまり前記容器本体側へ凸形に変形する。
【０００７】
また、前記隔離部材は前記収容室の前記開口部に取り付けられたフィルム部材であり、前記フィルム部材の取付強度は、前記押出し部の押圧によって外れる強度である。
【０００８】
また、前記押出し部は、前記収容室内に挿通される棒状部であり、前記押出し部の前記押圧部側の端部は前記押圧部の中央に連続し、前記押出し部の前記フィルム部材側の端部は前記フィルム部材の周縁部近傍に達し、前記押出し部の長手方向は前記収容室の挿通方向に対して傾斜している。
【０００９】
また、前記押圧部と前記可撓部は、前記キャップの前記天面部よりも前記収容室中心側に設けられ、前記天面部には蓋部材がシールされ、前記蓋部材は前記収容室と前記押圧部、前記可撓部を覆っている。
【００１０】
また、液体等を収容する容器本体と、前記容器本体の内容物に混合するための別剤を入れる収容室と、前記容器本体と前記収容室を隔離する隔離部材が設けられ、前記隔離部材を開口することで２剤を混合することが可能な２剤混合容器であり、前記容器本体の一端部に筒状の前記収容室が嵌合されて設けられている。前記収容室の前記容器本体に連通する開口部付近には、他の部材と別体に設けられた弁部材が閉鎖して設けられ、前記収容室の前記弁部材と反対側の開口部付近には前記弁部材を前記容器本体側に移動させる移動部材が設けられている。前記移動部材には突起が形成され、前記突起が螺合するねじが設けられている操作部材が設けられている。そして、前記操作部材を前記ねじに沿って回転させることにより前記移動部材を前記容器本体側に移動させて前記弁部材を開口し、２剤を混合する。
【００１１】
また、前記収容室は前記容器本体の下端部に設けられ、前記容器本体の上端部には、スプレー構造と、前記スプレー構造に連結され前記容器本体の底部から内容物を吸い上げるために下垂されたディップチューブが設けられている。前記弁部材の、前記容器本体内側に対面する遮蔽板は上方に湾曲して形成され、前記遮蔽板の周縁部の前記収容室との境界は前記遮蔽板のその他の部分よりも低くなっている。前記ディップチューブの下端部は前記弁部材の遮蔽板の縁部分に位置し、前記弁部材が上方に移動し開口したときに、前記弁部材よりも下側の前記収容室内に自動的に差し込まれる。
【発明の効果】
【００１２】
本発明の２剤混合容器は、簡単な構造で確実に分離した状態で複数の材料を収容し、簡単な操作で材料を混合することが可能である。さらに、異なる材料を収容している隔離部材は、混合の際に剥離や移動などにより開口されるため、破断片などが発生せず、衛生的であり、外観上も良好なものである。
【発明を実施するための最良の形態】
【００１３】
以下、この発明の実施形態について図面に基づいて説明する。図１，図２は、この発明の第一実施形態を示すもので、この実施形態の２剤混合容器１０は、有底筒状の容器本体１２を有し、容器本体１２の上端部には径が小さい円筒状の取出口１４が一体に形成され、取出口１４の外側面には、雄ねじ１６が形成されている。容器本体１２は、例えばペットボトル等である。
【００１４】
取出口１４には、合成樹脂で作られたキャップ１８が螺合されて取り付けられている。キャップ１８には、取出口１４を閉鎖する天面部２２が設けられ、天面部２２の中央には、天面部２２の下側面から取出口１４を挿通して容器本体１２の内側上部に達する円筒状の収容室２０が一体に設けられている。天面部２２の周縁部は、取出口１４の少し外側に位置し、取出口１４を覆う円筒状の側面部２４が設けられている。側面部２４の内周面には、取出口１４の雄ねじ１６に螺合される雌ねじ２６が形成されている。側面部２４と収容室２０の間には、取出口１４の内周面に水密に密着する短い円筒状の取付部２８が、天面部２２と一体に設けられている。
【００１５】
収容室２０の、天面部１８に連通する上端部は上端開口部２０ａとなり、上端開口部２０ａよりも少し下の位置には、上端開口部２０ａに対して平行に、円板状の押圧部３０が収容室２０の内周面と一体に設けられている。収容室２０と押圧部３０の間には、薄肉で形成された可撓部３２が、押圧部３０を一周して環状に設けられている。可撓部３２は、押圧部３０から離れるに従い下方へ延出し、断面が台形状の筒形に形成されている。即ち可撓部３２と押圧部３０は、図１（ａ）に示すように上方に凸形に形成されている。そして、押圧部３０に上方から力が加えられるとこの凸形が反転して、図１（ｂ）に示すように凹型、即ち下方に凸形に変形する。押圧部３０と可撓部３２は収容室２０の下方と上端開口部２０ａとを液密状態で仕切っている。
【００１６】
押圧部３０の下面３０ａのほぼ中央には、棒状の押出し部３４が一体に形成されている。押出し部３４は収容室２０内を挿通して下方に向かって延出され、押出し部３４の先端部３４ａは、収容室２０の下端開口部２０ｂより少し上に、そして下端開口部２０ｂの周縁部の一部に寄って偏心して位置している。このため押出し部３４は、収容室２０の挿通方向に対して傾斜している。押出し部３４の太さは、押出し部３４の先端部３４ａに近づくほど僅かに細く形成されている。先端部３４ａの形状は、収容室２０の下端開口部２０ｂに対して平行な面で切断されたように形成されている。
【００１７】
収容室２０の下端開口部２０ｂには、フィルム部材３６が密着して貼着され、収容室２０を液密に閉鎖している。フィルム部材３６の貼着強度は、材料を収容室２０に収容した状態で材料の重量がかかっても剥離せず、外部から収容室２０内に液体や気体が侵入せず、また押出し部３４を押すことにより簡単に剥離する一定の範囲に設定する。
【００１８】
キャップ１８の天面部２２には、収容室２０の上端開口部２０ａを覆う蓋部材である蓋シート３８が貼着され、収容室２０と押圧部３０、可撓部３２を覆っている。
【００１９】
次に、この実施形態の２剤混合容器１０の使用方法について説明する。２剤混合容器１０は、例えばお茶を入れて使用する。容器本体１２には水を入れ、キャップ１８の収容室２０には適量の粉末茶を入れる。容器本体１２の取出口１４の雄ねじ１６に、キャップ１８の雌ねじ２６を螺合させて密封し、搬送や収納等を行う。
【００２０】
そして、２剤混合溶容器１０からお茶を飲むときは、キャップ１８の天面部２２から蓋シート３８を剥がし、押圧部３０を露出させる。次に、押圧部３０を指で押すと、可撓部３２が変形して図１（ｂ）に示すように、押圧部３０が下へ移動し、これに伴って押出し部３４も下へ移動する。押出し部３４の先端部３４ａは、収容室２０の下端開口部２０ｂに貼着されたフィルム部材３６の縁部分を押し下げ、収容室２０から剥がす。すると、フィルム部材３６は開口され、収容室２０内の粉末茶が容器本体１２の中へ落下する。この状態で、容器本体１２を揺らしたりして粉末茶を水に混合してお茶を作り、キャップ１８を外して取出口１４からお茶を飲む。
【００２１】
可撓部３２は、弾性変形で元に戻っても、あるいは戻らなくでもどちらでも良い。開封されたフィルム部材３６は、手で収容室２０から取り外しても良い。これにより外観が良好となる。
【００２２】
この実施形態の２剤混合容器１０によれば、簡単な構造で、水と粉末茶を分離した状態で収容し、飲むときに押圧部３０を押すという簡単な操作により、フィルム部材３６を剥離して粉末茶を水に落下させ混合し、お茶を作ることができる。フィルム部材３６を剥がすためには特に専用の治具を必要とせず、キャップの向きを変える等の操作も不要で、キャップ１８を閉めたままの状態でワンタッチで行うことができる。キャップ１８を開ける前に混合することができ、撹拌のために容器を振ってもお茶をこぼすことがなく、安全である。
【００２３】
押出し部３４が斜めに設けられているので、キャップ１８の押圧部３０の押力が、フィルム３６の周縁部の下端開口部２０ｂからの剥離に効率よく押力として作用し、容易に開口することができる。フィルム部材３６を剥がして開封するため、穿孔による開口に比べ、開口面積が大きく取れる。フィルム部材３６を破損させないため、破断片などが発生せず、お茶に異物が混入する心配がなく、外観も見苦しくない。剥離されたフィルム部材３６は、剥離を開始した部分と反対側の部分で下端開口部２０に貼着されているため、落下の心配がない。フィルム部材３６は、周縁部から斜めに傾斜して開口するため、粉末茶が目詰まりせず容易に落下する。
【００２４】
また混合する前は、天面部２２に蓋シート３８が面一に貼られているため、収容室２０と押圧部３０、可撓部３２が隠され、すっきりとした外観である。また、不用意に混合操作をすることを防止する。なお、蓋シート３８は射出成形品を被せても良い。蓋シート３８を紙等の易破断性部材で作り、使用時に蓋シート３８の上からそのまま押圧部３０を押し込んで混合させるようにすれば、混合前と混合後が容易に判別可能となり、誤飲防止効果を付与することができる。また、粉末茶を充填する工程では、キャップ１８を逆さにセットして収容室２０へ粉末茶を充填してフィルム部材３６を貼付するだけなので、生産性に優れている。そして、飲む直前に粉末茶を溶かすため、作りたてのお茶を飲むことができ、風味が新鮮でおいしく感じる。
【００２５】
次にこの発明の第二実施形態について、図３、図４に基づいて説明する。この実施形態の２剤混合容器４０は、円筒状の容器本体４２を有し、容器本体４２は例えば透明な硬質プラスチックで作られている。容器本体４２の上端部には、容器本体４２を閉鎖する上面部４４が形成され、上面部４４の中心には径が小さい円筒状の図示しない取出口が一体に形成されている。取出口の外側面には、雄ねじが形成されている。容器本体４２の下端部には、外側面を一周して切り欠いて細くされた小径部４６が設けられている。小径部４６の外側面には、突起４５が一周して形成されている。また、小径部４６の内側面には、溝部４７が一周して形成されている。
【００２６】
容器本体４２の取出口には、スプレー構造４８が取り付けられている。スプレー構造４８は、容器本体４２の取出口に螺合されるスプレー本体５０と、スプレー本体５０の上方に突没自在に設けられ上方にバネなどで付勢された噴射操作部材５２が設けられ、噴射操作部材５２の側面には射出口５４が設けられている。スプレー本体５０の内側には、噴射操作部材５２を突没させることにより減圧となるピストン５６が設けられている。ピストン５６には、容器本体４２内の液体材料を吸い上げるディップチューブ５８が下垂して連結されている。
【００２７】
容器本体４２の小径部４６の外側には、開口操作部材６０が取り付けられている。開口操作部材６０は、容器本体４２の側面と面一の円筒形である開口操作部材側面部６２を有し、開口操作部材側面部６２の内周面には、容器本体４２の小径部４６の突起４７が回転可能に嵌合される溝部６３が設けられている。開口操作部材側面部６２の下端部は、底部６４が設けられて閉鎖されている。底部６４の周縁部には、開口操作部材側面部６２の少し内側に同心で小径の円筒形の保持面部６６が一体に形成されている。保持面部６６の高さは開口操作部材側面部６２の約半分である。保持面部６６の内周面には、間隔が広く傾斜が急な雌ねじ６８が形成されている。
【００２８】
容器本体４２の小径部４６の内側には、収容室７０が設けられている。収容室７０には、容器本体４２の小径部４６の内側に嵌合される円筒形の収納室外側面部７２が設けられ、収納室外側面部７２の下端開口部には、容器本体４７の下端部に当接する係止突起７４が外側に一周して突出して設けられている。収納室外側面部７２の外側面には、容器本体４２の小径部４６の溝部４７に回転可能に嵌合される突起７６が形成されている。収納室外側面部７２の上端開口部は、収納室外側面部７２の中心側へ折り曲げられて、収納室外側面部７２と同心で小径の円筒形である収納室内側面部７８が連続して設けられている。収納室外側面部７２の上端開口部の折り曲げられた部分は、後述する弁部材８８の周縁部が当接する浅い凹部が一周して設けられている。
【００２９】
収容室７０の収容室内側面部７８の内側には、下端開口部に、移動部材８０が設けられている。移動部材８０には、収容室内側面部７８に摺動可能に嵌合される移動部材側面部８２が設けられ、移動部材側面部８２の下端開口部には底部８４が設けられて閉鎖されている。移動部材側面部８２の下端開口部外側には、開口操作部材６０の保持面部６６に形成された雌ねじ６８に螺合される突起８５が、外側に突出して設けられている。底部８４の中心には、底部８４に対して直角に立設された押出し部８６が形成されている。押出し部８６は、移動部材側面部８２と収容室７０の中心を通過して上方に長く延出されている。
【００３０】
押出し部８６の上端部には、弁部材８８が取り付けられている。弁部材８８には、上方に湾曲する円形の遮蔽板９０が設けられ、遮蔽板９０の下面には、押出し部８６の上端部が嵌合される円筒形の保持部９２が設けられている。遮蔽板９０の下面の周縁部の少し内側には、収容室７０の収納室内側面部７８内側に摺動可能に嵌合される円筒状の弁部材側面部９４が設けられている。
【００３１】
次に、この実施形態の２剤混合容器４０の使用方法について説明する。２剤混合容器４０は、例えば美容液を入れて使用する。容器本体４２と収容室７０に、組み立てる所定の工程で異なる成分の液体材料をそれぞれ入れる。例えば、収容室７０に移動部材８０をセットした状態で液体材料を充填し、弁部材８８を収容室７０に水密に密着させ、その後容器本体４２に異なる液体材料を充填し、スプレー構造部材４８で閉鎖する。このとき、スプレー構造４８のディップチューブ５８の下端部は、弁部材８８の周縁部に沿って位置するようにセットされている。
【００３２】
２剤混合容器４０から美容液を取り出すときは、まず２種類の液体材料を混合するため、開口操作部材６０を所定方向に軸周りに回転させる。すると、開口操作部材６０の雌ねじ６８が回転することにより移動部材８０が押し上げられる。移動部材８０の上昇に伴い、弁部材８８が押し上げられて、収容室７０から離れ収容室７０を開口する。このとき、ディップチューブ５８の先端は、開口部分から収容室７０内に自動的に差し込まれ、収容室７０の下端開口部に位置する移動部材８０の底部８４にセットされる。容器本体４２と収容部７０が連通し２種類の液体材料を振るなどして混合する。そしてスプレー構造４８の噴射操作部材５２を突没させて美容液をディップチューブ５８から吸い上げ射出口５４から噴出させる。この２剤混合容器４０の外観は、図４に示すように容器本体４２を透過して弁部材８８が視認されるが、破断部がないためすっきりとしており、また押出し部８６に固定されているため動くことがなく、この点からも邪魔な感じを受けず、違和感がない。
【００３３】
この実施形態の２剤混合容器４０によれば、簡単な構造で２種類の液体材料を分離した状態で収容し、使用するときに開口操作部材６０を回すだけの簡単な操作により、弁部材８８を開口させて２種類の液体材料を混合させ、美容液を作ることができる。弁部材８８は、移動させて収容室７０から離間させることにより開口させるため、破断等の方法を用いないので、開口部が綺麗であり、透明な容器本体４２に使用しても見苦しくなく、外観が良好である。また、破断片や破断粉が容器内に浮遊することもなく、美容液のように美しさが要求される用途に適している。
【００３４】
そして、ディップチューブ５８は、弁部材８８の周縁部に位置し、弁部材８８を開口したとき自動的に収容室７０の底付近に差し込まれるため、この作業を手で行う必要がなく衛生的であり、下に残った美容液を吸い上げて、最後まで使い切ることができる。また、この実施形態の美容液は、使用直前に混合するため変質を防ぎ、美容効果が高い美容液を提供することができる。
【００３５】
なお、この発明の２剤混合容器は、上記各実施形態に限定されるものではなく、素材や形状、各部材の形状等自由に変更可能である。収容室や弁部材の形状は、互いに密着するものであれば良く、押出し部や操作部の形状も、簡単に操作でき弁部材を確実に開口するものであれば、自由に変更可能である。また、用途は上記実施形態に限定されず、種々の商品に利用することができる。
【図面の簡単な説明】
【００３６】
【図１】この発明の第一実施形態の２剤混合容器のキャップの混合前（ａ）と混合後（ｂ）を示す縦断面図である。
【図２】この実施形態の２剤混合容器の斜視図である。
【図３】この発明の第二実施形態の２剤混合容器の混合前（ａ）と混合後（ｂ）を示す縦断面図である。
【図４】この実施形態の２剤混合容器の正面図である。
【符号の説明】
【００３７】
１０  ２剤混合容器
１２  容器本体
１４  取出口
１８  キャップ
２０  収容室
２２  天面部
２４  側面部
２６  雌ねじ
３０  押圧部
３２  可撓部
３４  押出し部
３６  フィルム部材
３８  蓋シート
【図１】
2006089084.tif 000003
【図２】
2006089084.tif 000004
【図３】
2006089084.tif 000005
【図４】
2006089084.tif 000006